(57)【要約】【課題】芯材とそのカバー部材とを有する支柱を備える手摺において、芯材にカバー部材を容易にかつ強固に固定する。【解決手段】手摺３は、手摺面材７を保持する手摺支柱６を備える。手摺支柱６は、上下方向へ沿って配置される支柱本体６９と、支柱本体６９を挟むようにして支柱本体６９に設けられる一対の固定プレート７０，７０と、一対の固定プレート７０，７０が設けられた支柱本体６９の周囲を覆う支柱カバー７１とを有している。支柱カバー７１が支柱本体６９の周囲を覆った状態で、支柱カバー７１を介して一対の固定プレート７０，７０にドリルネジ１１２がねじ込まれることで、支柱カバー７１が支柱本体６９に固定される。【選択図】図５
2020045639.tif 000002
【特許請求の範囲】
【請求項１】
外部床の屋外縁に形成される立ち上がり部に設けられ、手摺面材を保持する手摺支柱を有する手摺の取付構造であって、
前記手摺支柱は、前記立ち上がり部から上方へ延出して配置される支柱本体と、前記支柱本体を挟むようにして前記支柱本体に設けられる一対の固定プレートと、前記一対の固定プレートが設けられた前記支柱本体の周囲を覆う支柱カバーとを有し、
前記支柱カバーが前記支柱本体の周囲を覆った状態で、前記支柱カバーが前記支柱本体に固定されるように、前記支柱カバーを介して前記一対の固定プレートにドリルネジがねじ込まれてなる
ことを特徴とする手摺の取付構造。
【請求項２】
前記支柱本体は、前記立ち上がり部の上端部を上方から覆う下笠木材を貫通して、前記立ち上がり部から上方へ延出して配置されており、
前記支柱カバーは、前記支柱本体の前記下笠木材から上方へ延出した部分の周囲を覆うように前記下笠木材に載せ置かれており、
前記下笠木材と前記支柱カバーの下端部との間には水密材が設けられる
ことを特徴とする請求項１に記載の手摺の取付構造。
【請求項３】
前記支柱本体への取付部材が前記支柱カバーの上端部の内部に配置されて設けられており、
前記支柱カバーが下方へ押圧された状態で前記支柱本体に固定されるように、前記支柱本体の上面に形成されたネジ穴に、前記取付部材を介して、ボルトがねじ込まれてなる
ことを特徴とする請求項１または請求項２に記載の手摺の取付構造。
【請求項４】
外部床の屋外縁に形成される立ち上がり部に設けられる手摺の取付方法であって、
前記立ち上がり部から上方へ延出するように支柱本体を配置する芯材配置工程と、
前記支柱本体を挟むようにして前記支柱本体に一対の固定プレートを設けるプレート設置工程と、
前記一対の固定プレートが設けられた前記支柱本体の周囲を覆うようにして、前記支柱本体に支柱カバーを被せるカバー被覆工程と、
前記支柱本体に前記支柱カバーが被せられた状態で、前記支柱カバーの上端部の内部に配置されて設けられた取付部材を介して、前記支柱本体の上面のネジ穴にボルトをねじ込んで、前記支柱カバーを前記支柱本体に固定するカバー第一固定工程と、
前記カバー第一固定工程後、前記支柱カバーを介して前記一対の固定プレートにドリルネジをねじ込んで、前記支柱カバーを前記支柱本体に固定するカバー第二固定工程と
を含むことを特徴とする手摺の取付方法。
【請求項５】
前記立ち上がり部の上方への開口を閉じるよう前記立ち上がり部を上方から覆って捨て水切り材を配置する水切り配置工程と、
前記捨て水切り材を上方から覆うように下笠木材を配置する下笠木材配置工程とを、前記芯材配置工程後で前記プレート設置工程前にさらに含み、
前記捨て水切り材は、前記開口を閉じる上片と、前記上片の屋内側端部に下方へ延出して形成される内片と、前記内片に屋外方向へ延出して形成される延出片とを有しており、
前記水切り配置工程では、前記立ち上がり部の屋内側の面と前記延出片との間に隙間が形成されるように、前記上片が前記開口を閉じるように配置されると共に、前記内片が前記立ち上がり部の屋内側に配置された状態で、前記立ち上がり部の屋内側の面、前記上片の内面、前記内片の内面および前記延出片の内面により空間が形成され、
前記カバー被覆工程では、前記捨て水切り材および前記下笠木材を貫通した前記支柱本体の前記下笠木材から上方へ延出した部分の周囲を覆うように、前記支柱カバーが前記下笠木材に載せ置かれると共に、前記支柱カバーの下端部と前記下笠木材との間に水密材が配置される
ことを特徴とする請求項４に記載の手摺の取付方法。
【請求項６】
前記カバー第二固定工程後、前記支柱カバーに手摺面材を固定する面材固定工程をさらに含み、
前記面材固定工程では、前記手摺面材は、上端部が前記支柱カバーに屋外側へ延出して設けられた上笠木材に保持されると共に、下端部が前記支柱カバーの前面に設けられた胴縁材に保持され、さらに、屋内側の面が前記支柱カバーに固定部材を介して固定される
ことを特徴とする請求項５に記載の手摺の取付方法。
【発明の詳細な説明】
【技術分野】
【０００１】
本発明は、バルコニなどの外部床の外周縁に沿って設けられる手摺の取付構造と取付方法に関するものである。
【背景技術】
【０００２】
下記特許文献１には、ベランダのような建物部分の開口部を塞ぐ手摺であって、上向きに延びた芯体本体部を有する芯体と、芯体に嵌装される四角筒状の支柱本体とからなる支柱を有する手摺が開示されている。この手摺では、正面側において、支柱本体が芯体の芯体本体部に止めボルトで固定される。
【先行技術文献】
【特許文献】
【０００３】
【特許文献１】特開平１１−３０３３５３号公報
【発明の概要】
【発明が解決しようとする課題】
【０００４】
しかしながら、芯体に支柱本体が止めボルトで固定される構造では、芯体にそのカバー部材である支柱本体を強固に固定することができない。そこで、芯体にネジ穴を形成し、そのネジ穴に支柱本体に形成された貫通穴を介してネジをねじ込むことが考えられるが、この場合、芯体にネジ穴を形成する手間がかかる。その上、芯体のネジ穴の位置と支柱本体の貫通穴の位置とを対応させる必要があるので、ネジ穴の位置の精度が要求される。
【０００５】
また、上記特許文献１では、ベランダの床に手摺が固定される構造が開示されているが、バルコニなどの外部床の周縁に沿って立設された立ち上がり部に手摺が設けられることがある。この場合、立ち上がり部の上方に、水切り材および笠木材などの部材が配置されることになるので、それらの部材と手摺の支柱との間から立ち上がり部内に雨水などが入り込まないように対策を講じる必要がある。
【０００６】
本発明は、このような問題に鑑みてなされたものであり、その主たる目的は、芯材とそのカバー部材とを有する支柱を備える手摺において、芯材にカバー部材を容易にかつ強固に固定することにある。また、簡易な構成で、防水性のある構造とすることにある。
【課題を解決するための手段】
【０００７】
上記目的を達成するための本発明に係る手摺の取付構造は、外部床の屋外縁に形成される立ち上がり部に設けられ、手摺面材を保持する手摺支柱を有する手摺の取付構造であって、前記手摺支柱は、前記立ち上がり部から上方へ延出して配置される支柱本体と、前記支柱本体を挟むようにして前記支柱本体に設けられる一対の固定プレートと、前記一対の固定プレートが設けられた前記支柱本体の周囲を覆う支柱カバーとを有し、前記支柱カバーが前記支柱本体の周囲を覆った状態で、前記支柱カバーが前記支柱本体に固定されるように、前記支柱カバーを介して前記一対の固定プレートにドリルネジがねじ込まれてなることを特徴とする。
【０００８】
また、本発明に係る手摺の取付構造は、前記支柱本体は、前記立ち上がり部の上端部を上方から覆う下笠木材を貫通して、前記立ち上がり部から上方へ延出して配置されており、前記支柱カバーは、前記支柱本体の前記下笠木材から上方へ延出した部分の周囲を覆うように前記下笠木材に載せ置かれており、前記下笠木材と前記支柱カバーの下端部との間には水密材が設けられることを特徴とする。
【０００９】
さらに、本発明に係る手摺の取付構造は、前記支柱本体への取付部材が前記支柱カバーの上端部の内部に配置されて設けられており、前記支柱カバーが下方へ押圧された状態で前記支柱本体に固定されるように、前記支柱本体の上面に形成されたネジ穴に、前記取付部材を介して、ボルトがねじ込まれてなることを特徴とする。
【００１０】
上記目的を達成するための本発明に係る手摺の取付方法は、外部床の屋外縁に形成される立ち上がり部に設けられる手摺の取付方法であって、前記立ち上がり部から上方へ延出するように支柱本体を配置する芯材配置工程と、前記支柱本体を挟むようにして前記支柱本体に一対の固定プレートを設けるプレート設置工程と、前記一対の固定プレートが設けられた前記支柱本体の周囲を覆うようにして、前記支柱本体に支柱カバーを被せるカバー被覆工程と、前記支柱本体に前記支柱カバーが被せられた状態で、前記支柱カバーの上端部の内部に配置されて設けられた取付部材を介して、前記支柱本体の上面のネジ穴にボルトをねじ込んで、前記支柱カバーを前記支柱本体に固定するカバー第一固定工程と、前記カバー第一固定工程後、前記支柱カバーを介して前記一対の固定プレートにドリルネジをねじ込んで、前記支柱カバーを前記支柱本体に固定するカバー第二固定工程とを含むことを特徴とする。
【００１１】
また、本発明に係る手摺の取付方法は、前記立ち上がり部の上方への開口を閉じるよう前記立ち上がり部を上方から覆って捨て水切り材を配置する水切り配置工程と、前記捨て水切り材を上方から覆うように下笠木材を配置する下笠木材配置工程とを、前記芯材配置工程後で前記プレート設置工程前にさらに含み、前記捨て水切り材は、前記開口を閉じる上片と、前記上片の屋内側端部に下方へ延出して形成される内片と、前記内片に屋外方向へ延出して形成される延出片とを有しており、前記水切り配置工程では、前記立ち上がり部の屋内側の面と前記延出片との間に隙間が形成されるように、前記上片が前記開口を閉じるように配置されると共に、前記内片が前記立ち上がり部の屋内側に配置された状態で、前記立ち上がり部の屋内側の面、前記上片の内面、前記内片の内面および前記延出片の内面により空間が形成され、前記カバー被覆工程では、前記捨て水切り材および前記下笠木材を貫通した前記支柱本体の前記下笠木材から上方へ延出した部分の周囲を覆うように、前記支柱カバーが前記下笠木材に載せ置かれると共に、前記支柱カバーの下端部と前記下笠木材との間に水密材が配置されることを特徴とする。
【００１２】
さらに、本発明に係る手摺の取付方法は、前記カバー第二固定工程後、前記支柱カバーに手摺面材を固定する面材固定工程をさらに含み、前記面材固定工程では、前記手摺面材は、上端部が前記支柱カバーに屋外側へ延出して設けられた上笠木材に保持されると共に、下端部が前記支柱カバーの前面に設けられた胴縁材に保持され、さらに、屋内側の面が前記支柱カバーに固定部材を介して固定されることを特徴とする。
【発明の効果】
【００１３】
本発明に係る手摺の取付構造によれば、カバー部材である支柱カバーが芯材である支柱本体の周囲を覆った状態において、支柱本体に設けられた一対の固定プレートに、支柱カバーを介してドリルネジがねじ込まれることで、支柱カバーが支柱本体に固定される。このような構成であるから、止めボルトを用いる従来の場合と比較して、支柱カバーを支柱本体に強固に固定することができる。また、支柱本体にネジ穴を形成する必要がないので、支柱カバーを支柱本体に容易に固定することができる。
【００１４】
また、本発明に係る手摺の取付構造によれば、支柱本体の下笠木材からの貫通部分の周囲が支柱カバーにて覆われ、その支柱カバーが下笠木材に載せ置かれた状態とされる。この際、支柱カバーの下端部と下笠木材との間には水密材が設けられる。従って、支柱カバーと下笠木材との隙間から、雨水などの水が立ち上がり部内に入り込むのを防止することができる。
【００１５】
さらに、本発明に係る手摺の取付構造によれば、ドリルネジによる固定に加えて、支柱カバーが下方へ押圧された状態で支柱本体に固定されるので、より強固にかつ安定した状態で固定することができる。なお、支柱カバーの下端部と下笠木材との間に水密材が設けられる場合には、支柱カバーが下方へ押圧されることで、水密材が下笠木材に押えつけられることになり、水密性をより向上させることができる。
【００１６】
本発明に係る手摺の取付方法によれば、カバー部材である支柱カバーが芯材である支柱本体の周囲を覆った状態において、支柱本体に設けられた一対の固定プレートに、支柱カバーを介してドリルネジがねじ込まれる。これに加えて、支柱カバーに設けられる取付部材を介してボルトが支柱本体にねじ込まれて、支柱カバーが下方へ押圧された状態で支柱本体に固定される。従って、支柱カバーを支柱本体に容易にかつ強固に安定して固定することができる。
【００１７】
また、本発明に係る手摺の取付方法によれば、捨て水切り材と立ち上がり部とで空間が形成される。従って、立ち上がり部の屋内側の面と延出片との隙間から勢いよく水が外気と共に前記空間内に浸入した場合、空間により侵入した外気の勢いが弱められ、外気と共に空間内に浸入した水を空間で止めることができる。これにより、立ち上がり部内に水が入り込むのを防止することができる。また、支柱本体の下笠木材からの貫通部分の周囲が支柱カバーにて覆われ、その支柱カバーが下笠木材に載せ置かれた状態とされる。この際、支柱カバーの下端部と下笠木材との間には水密材が設けられる。従って、支柱カバーと下笠木材との隙間から、雨水などの水が立ち上がり部内に入り込むのを防止することができる。すなわち、防水性のある手摺を立ち上がり部に安定した状態で固定することができる。
【００１８】
さらに、本発明の手摺の取付方法によれば、手摺支柱よりも屋外側に手摺面材が配置されるので、手摺の意匠性を向上させることができる。
【図面の簡単な説明】
【００１９】
【図１】本発明の手摺の取付構造の一実施例を示す概略縦断面図である。
【図２】図１におけるＡ部拡大図である。
【図３】図１におけるＢ部拡大図である。
【図４】図１におけるＣ部拡大図である。
【図５】図１の手摺の取付構造を示す概略平面図であり、一部を断面にして示すと共に、一部を省略して示している。
【図６】図１の手摺の取付方法を示す概略斜視図であり、支柱本体の施工を示している。
【図７】図１の手摺の取付方法を示す概略斜視図であり、捨て水切り材および下笠木材の施工を示している。
【図８】図１の手摺の取付方法を示す概略斜視図であり、固定プレートの施工を示している。
【図９】図１の手摺の取付方法を示す概略斜視図であり、支柱カバーを支柱本体に被せる状態を示している。
【図１０】図１の手摺の取付方法を示す概略斜視図であり、支柱カバーを支柱本体に固定する状態を示している。
【図１１】図１の手摺の取付方法を示す概略側面図であり、手摺面材を手摺支柱の屋外側に配置する状態を示している。
【図１２】図１の手摺の取付方法を示す概略平面図で一部を断面にして示しており、手摺面材を手摺支柱に固定する状態を示している。
【図１３】図１の手摺の取付方法を示す概略平面図で一部を断面にして示しており、閉塞部材を固定部材に取り付ける状態を示している。
【図１４】図１の手摺の取付方法を示す概略側面図で一部を断面にして示しており、上笠木材の施工を示している。
【発明を実施するための形態】
【００２０】
以下、本発明の具体的実施例を図面に基づいて詳細に説明する。
【００２１】
図１から図５は、本発明の手摺の取付構造の一実施例を示す図であり、図１は概略縦断面図、図２は図１におけるＡ部拡大図、図３は図１におけるＢ部拡大図、図４は図１におけるＣ部拡大図、図５は一部を断面にすると共に一部を省略した概略平面図である。なお、以下の説明においては、図１の紙面における左右方向を前後方向、すなわち、屋外側を前方、屋内側を後方とする。
【００２２】
本実施例の手摺の取付構造は、外部床１の屋外縁に形成される立ち上がり部２に設けられる手摺の取付構造である。この手摺３は、立ち上がり部２を上方から覆う捨て水切り材４と、捨て水切り材４を上方から覆う下笠木材５と、外部床１の躯体に設けられる手摺支柱６と、手摺支柱６に保持される手摺面材７とを備えて構成される。ここでは、外部床１がバルコニの場合について説明するが、これに限定されるものではなく、たとえば、ベランダ、外廊下または屋上であってもよい。外部床１は、住宅の二階に外壁から屋外側へ延出して設けられ、外壁に設けられた掃き出し窓を介して、二階の居室と行き来可能とされている。外部床１は、床部８と前記立ち上がり部２とを有している。
【００２３】
床部８は、梁材９間に架け渡される基礎材１０上に設けられる断熱材１１と、断熱材１１上に設けられる不燃ボード１２と、不燃ボード１２上に設けられる防水シート１３とを有している。断熱材１１は、板状に形成されており、板面を上下に向けて基礎材１０上に設けられる。不燃ボード１２は、断熱材１１よりも薄い板状に形成されており、板面を上下に向けて断熱材１１の上面に敷設される。防水シート１３は、シート状に形成されており、不燃ボード１２の上面を覆うようにして敷かれる。なお、図示しないが、防水シート１３上には、化粧材が設けられる。
【００２４】
床部８の屋外側に、立ち上がり部２が設けられる。立ち上がり部２は、床部８の屋外側端部に配置される下地材１４と、下地材１４の屋外側に配置される外壁パネル１５とを有している。下地材１４は、板状に形成されており、板面を前後に向けて配置される。下地材１４と床部８との隅部には、側面視略Ｌ字形の板状の隅部材１６が設けられる。隅部材１６は、一片１７が床部８に配置される一方、他片１８が下地材１４に配置される。隅部材１６の他片１８は、先端部が前方へ屈曲した後さらに上方へ屈曲して形成されており、先端部が下地材１４の上面に配置されると共に、残りの部分が下地材１４の後面に配置される。この際、他片１８の先端部は、前方への屈曲部が下地材１４の上面に配置され、上方への屈曲部が下地材１４から上方へ延出して配置される。隅部材１６は、前方への屈曲部から一片１７にかけて、防水シート１３で覆われている。また、住宅の外壁である外壁パネル１５は、板状に形成されており、板面を前後に向けて配置される。この際、外壁パネル１５と下地材１４とは、前後方向に互いに離隔して配置される。これにより、立ち上がり部２には、上方へ開口する空間１９が形成される。
【００２５】
このようにして、外部床１の屋外縁には、上方へ開口する空間１９を有する立ち上がり部２が上方へ延出して形成される。立ち上がり部２には、手摺面材７を保持する手摺支柱６が立設される。具体的には、手摺支柱６は、下端部が外部床１の躯体である梁材９に固定された状態で、立ち上がり部２から上方へ延出して設けられる。この際、手摺支柱６は、立ち上がり部２の空間１９を通って、立ち上がり部２から上方へ延出している。手摺支柱６の下部には、笠木下地材２０が設けられる。笠木下地材２０は、板状に形成されており、板面を上下方向に向けた状態で手摺支柱６に固定される。この際、笠木下地材２０と立ち上がり部２の上端との間には、隙間が形成される。
【００２６】
また、手摺支柱６の下部には、笠木下地材２０を介して、捨て水切り材４が設けられる。捨て水切り材４は、下方へ開口する側面視略コ字形の板状に形成されており、立ち上がり部２の上方への開口２１を閉じる上片２２と、上片２２の屋外側端部に下方へ延出して形成される外片２３と、上片２２の屋内側端部に下方へ延出して形成される内片２４と、内片２４に屋外方向へ延出して形成される延出片２５とを有している。本実施例の捨て水切り材４は、上片２２、内外片２４，２３および延出片２５が一体形成されており、板材の屋外側端部および屋内側端部をそれぞれ下方へ屈曲して外片２３および内片２４が形成され、さらに内片２４の先端部を折り返した後に屋外方向へ屈曲して延出片２５が形成される。
【００２７】
捨て水切り材４は、上片２２が笠木下地材２０の上に載せ置かれた状態で、ネジなどで笠木下地材２０に固定される。この際、捨て水切り材４は、上片２２が立ち上がり部２の開口２１を覆って閉じるように配置され、内外片２４，２３がそれぞれ立ち上がり部２の屋内側および屋外側に配置される。具体的には、捨て水切り材４は、外片２３が外壁パネル１５の表面との間に隙間をあけた状態で下方へ延出して配置され、内片２４が防水シート１３との間に隙間をあけた状態で下方へ延出して配置される。また、捨て水切り材４の延出片２５の先端部と立ち上がり部２の屋内側の面である防水シート１３との間には、隙間２６が形成される。
【００２８】
捨て水切り材４が笠木下地材２０を介して手摺支柱６に固定された状態では、立ち上がり部２の屋外側上端部と捨て水切り材４の上片２２との間、および立ち上がり部２の屋内側上端部と捨て水切り材４の上片２２との間にそれぞれ水密材２７，２８が設けられる。本実施例では、水密材２７は、捨て水切り材４の上片２２と外壁パネル１５の上面との間に設けられる。また、水密材２８は、第一水密片２９と第二水密片３０とを有している。第一水密片２９は、隅部材１６の他片１８の前方への屈曲部に設けられる防水シート１３と捨て水切り材４の上片２２との間に設けられる。第二水密片３０は、第一水密片２９の前側において、隅部材１６の他片１８の上方への屈曲部の上面と捨て水切り材４の上片２２との間に設けられる。
【００２９】
捨て水切り材４には、それを覆うようにして、下笠木材５が設けられる。下笠木材５は、下方へ開口する側面視略コ字形の板状に形成されており、板面を上下に向けて配置される上片３１と、上片３１の屋外側端部に下方へ延出して形成される外片３２と、上片３１の屋内側端部に下方へ延出して形成される内片３３とを有している。本実施例では、下笠木材５の上片３１は、屋内側へ行くに従って下方へ傾斜して形成されている。
【００３０】
下笠木材５は、上片３１が捨て水切り材４の上片２２に上下に対応するよう配置されると共に、内外片３３，３２がそれぞれ捨て水切り材４の内外片２４，２３に前後に対応するよう配置された状態で、捨て水切り材４に設けられる。この際、下笠木材５の上片３１と捨て水切り材４の上片２２との間、下笠木材５の外片３２と捨て水切り材４の外片２３との間、および下笠木材５の内片３３と捨て水切り材４の内片２４との間には、隙間が形成される。本実施例では、下笠木材５は、下笠木材５に設けられる取付具３４が捨て水切り材４に設けられる被取付具３５に取り付けられることで、捨て水切り材４に設けられる。下笠木材５に設けられる取付具３４は、下方へ開口する側面視略コ字形の弾性を有する板状に形成されており、屋外側端部および屋内側端部にそれぞれ内方へ延出する係合部３６、および下方へ延出する脚部３７を有している。一方、捨て水切り材４に設けられる被取付具３５は、下方へ開口する側面視略コ字形の板状に形成されており、屋外側端部および屋内側端部にそれぞれ、係合部３６が係合される段状の被係合部３８を有している。
【００３１】
取付具３４は、屋外側端部および屋内側端部がそれぞれ、下笠木材５の屋外側端部および屋内側端部にそれぞれ内方へ延出して形成された載置部３９に載せ置かれた状態で、下笠木材５の内面に沿って設けられる。一方、被取付具３５は、捨て水切り材４の外面に沿って設けられる。従って、下笠木材５および取付具３４を外方へ広げつつ捨て水切り材４に被せて、取付具３４の係合部３６を被取付具３５の被係合部３８に係合させることで、取付具３４が弾性力によって被取付具３５に係合されて、下笠木材５が捨て水切り材４に設けられる。下笠木材５が捨て水切り材４に設けられた状態では、取付具３４の脚部３７の下端部が被取付具３５の上面に接触しており、下笠木材５と捨て水切り材４とが隙間をあけて配置される。なお、本実施例では、取付具３４と被取付具３５とのセットは、左右方向に互いに間隔をあけて複数セットが用いられる。
【００３２】
このようにして、手摺支柱６に捨て水切り材４および下笠木材５が設けられる。この際、手摺支柱６は、捨て水切り材４および下笠木材５を貫通して、上方へ延出して配置される。手摺支柱６の上端部には、上笠木材４０が屋外側へ延出して設けられる。上笠木材４０は、左右方向へ細長い部材であって、筒状の本体部４１と、手摺面材７の取付部４２とを有している。
【００３３】
本体部４１は、左右方向へ開口する略角筒状とされ、後部に上方へ凹んで段部４３が形成されている。取付部４２は、左右方向へ開口する略四角筒状とされ、本体部４１の前端部に設けられる。取付部４２の下壁部には、左右方向へ沿って貫通穴４４が形成されている。すなわち、取付部４２は、前後方向に互いに離隔して一対の下壁部４５，４５を有している。図３に示されるように、上笠木材４０は、隣接する手摺支柱６の上端部同士を架け渡すように設けられる板状の上笠木下地材４６に載せ置かれた状態で、上笠木下地材４６にネジなどで固定される。この際、上笠木材４０は、その段部４３が上笠木下地材４６に載せ置かれて固定されており、取付部４２が手摺支柱６よりも屋外側に配置されている。
【００３４】
また、下笠木材５から上方へ延出した部分の手摺支柱６の下端部には、胴縁材４７が屋外側へ延出して設けられる。胴縁材４７は、左右方向へ細長い部材であって、手摺支柱６への取付片４８と、取付片４８の上端部に設けられる上端片４９と、取付片４８の下端部に設けられる下端片５０とを有している。
【００３５】
取付片４８は、左右方向を長手方向とする正面視略長方形の板状に形成されており、板面を前後に向けて配置される。上端片４９は、左右方向を長手方向とする平面視略長方形の板状とされ、板面を上下に向けて配置された状態で、取付片４８の上端部に前方へ延出して設けられる。上端片４９の先端部は、縦断面略Ｊ字形状に形成されている。下端片５０は、左右方向を長手方向とする平面視略長方形の板状とされ、板面を上下に向けて配置された状態で、取付片４８の下端部に前方へ延出して設けられる。下端片５０の前後長さは、上端片４９の前後長さよりも長い。下端片５０の先端部は、上方へ屈曲して形成されている。下端片５０の前後方向中途部には、上方へ行くに従って後方へ傾斜する延出部５１が形成されている。図４に示されるように、胴縁材４７は、取付片４８が左右方向に互いに離隔して配置される手摺支柱６の前端部に固定される。この際、上端片４９と下端片５０とは、上下に互いに離隔して配置されると共に、前方へ延出して配置される。
【００３６】
上笠木材４０と胴縁材４７との間には、手摺面材７が設けられる。手摺面材７は、板状で板面を前後に向けて配置されており、上端部が上笠木材４０に保持されると共に、下端部が胴縁材４７に保持される。本実施例では、手摺面材７の上端部は、グレイジングチャンネル５２を介して、上笠木材４０に保持される。
【００３７】
グレイジングチャンネル５２は、縦断面が下方へ開口する略コ字形の板状の本体片５３と、本体片５３の内面に取り外し可能に設けられる調整片５４とを備える。本体片５３は、硬質部材からなり、板状で板面を上下に向けて配置される中央部５５と、中央部５５の前後端部に設けられる開放両端部５６，５６とを有している。開放両端部５６，５６にはそれぞれ、取付部４２の一対の下壁部４５，４５が差し込まれる溝状の差込部５７が外方へ開口して形成されている。調整片５４は、本体片５３よりも軟質な軟質部材からなり、左右方向を長手方向とする正面視略長方形の板状に形成されている。調整片５４は、本体片５３のそれぞれの開放両端部５６の内面に剥離可能に設けられる。典型的には、調整片５４は、板面に線状部または点状部が形成されており、その線状部または点状部を介して、開放両端部５６に設けられる。図３に示されるように、グレイジングチャンネル５２は、調整片５４，５４間に手摺面材７の上端部が差し込まれた状態で手摺面材７に設けられ、その状態で、開放両端部５６の差込部５７に上笠木材４０の取付部４２の一対の下壁部４５，４５が差し込まれる。これにより、手摺面材７の上端部が上笠木材４０に保持される。
【００３８】
また、手摺面材７の下端部は、グレイジングチャンネル５８および面材受け５９を介して、胴縁材４７に保持される。グレイジングチャンネル５８は、手摺面材７の上端部に設けられるグレイジングチャンネル５２と同様の構成である。面材受け５９は、縦断面略柄杓形の板状に形成されており、グレイジングチャンネル５８が設けられる杓部６０と、杓部６０に設けられる柄部６１とを有している。杓部６０は、縦断面が上方へ開口する略コ字形の板状とされ、開放両端部の上端部に内方への延出部６２が形成されている。柄部６１は、縦断面略Ｌ字形の板状とされ、杓部６０の一方の開放両端部から上方へ延出した後に後方へ延出し、さらに下方へ延出して形成されている。
【００３９】
図４に示されるように、グレイジングチャンネル５８は、調整片５４，５４間に手摺面材７の下端部が差し込まれた状態で手摺面材７に設けられ、その状態で、開放両端部５６の差込部５７に面材受け５９の杓部６０の開放両端部に形成された延出部６２が差し込まれる。また、面材受け５９は、その杓部６０が胴縁材４７の下端片５０の上方への屈曲部６３と延出部５１との間において下端片５０に載せ置かれると共に、柄部６１の下方への延出部６４が胴縁材４７の上端片４９の略Ｊ字形状部６５に係合される。これにより、手摺面材７の下端部が胴縁材４７に保持される。なお、グレイジングチャンネル５８の中央部５５の左右両端部、面材受け５９の杓部６０の底部の左右両端部、および胴縁材４７の下端片５０の前方の左右両端部にそれぞれ、上下に貫通して貫通穴が形成されている。グレイジングチャンネル５８の貫通穴、面材受け５９の貫通穴、および胴縁材４７の貫通穴は、手摺面材７の下端部が胴縁材４７に保持された状態において、互いに上下に対応するようにして、それぞれの部材に形成されている。従って、グレイジングチャンネル５８と手摺面材７との隙間から浸水した場合、およびグレイジングチャンネル５８と面材受け５９の延出部６２との隙間から浸水した場合、それらの貫通穴を介して、胴縁材４７の外部へ排水することができる。ここで、胴縁材４７の延出部５１は、胴縁材４７へ到達した水が前述したように外部へ排出される際に、胴縁材４７の取付片４８側へ及ぶことを防止することができる。さらに、手摺面材７は、固定部材６６を介して手摺支柱６に固定される。固定部材６６は、左右一対のチャンネル６７，６７と、このチャンネル６７のチャンネル受け６８とを有しており、その具体的構成については後述する。このようにして、手摺面材７は、手摺支柱６よりも前方に配置される。
【００４０】
図６から図１４は、本実施例の手摺の取付方法を時系列に示す概略図である。本実施例の手摺の取付方法では、まず、外部床１の躯体である梁材９に手摺支柱６が設けられる。図１に示されるように、手摺支柱６は、梁材９に設けられる支柱本体６９と、支柱本体６９に設けられる一対の固定プレート７０，７０（図８）と、一対の固定プレート７０，７０が設けられた支柱本体６９の周囲を覆う支柱カバー７１とを有している。そして、外部床１に設けられた手摺支柱６に手摺面材７が設けられて、外部床１に手摺３が設置される。具体的には、芯材配置工程、水切り配置工程、下笠木材配置工程、プレート設置工程、カバー被覆工程、カバー第一固定工程、カバー第二固定工程、面材固定工程が順次に実行される。
【００４１】
芯材配置工程は、立ち上がり部２から上方へ延出するようにして支柱本体６９を配置する工程である。支柱本体６９は、上下方向に細長い板状で板面を左右に向けて配置されており、下端部に梁材９への固定部材７２が設けられる。固定部材７２は、板状に形成されており、板面を上下に向けて配置される。固定部材７２の板面が梁材９の上面に重ね合わされた状態で、固定部材７２が梁材９にボルトナット７３で固定されることで、支柱本体６９が梁材９に固定される。支柱本体６９の下端部には、平面視略Ｌ字形の板状で屋外側に配置される一対の第一部材７４，７４、平面視略Ｌ字形の板状で屋内側に配置される一対の第二部材７５，７５、および正面視略Ｌ字形の板状の一対の第三部材７６，７６が設けられる。
【００４２】
一対の第一部材７４，７４は、一片７７，７７同士で支柱本体６９を挟むようにして支柱本体６９に固定され、他片７８が一片７７の屋外側端部において板面を前後に向けて配置される。一対の第二部材７５，７５は、一片７９，７９同士で支柱本体６９を挟むようにして支柱本体６９に固定され、他片８０が一片７９の屋内側端部において板面を前後に向けて配置される。一対の第三部材７６，７６は、一片８１，８１同士で支柱本体６９を挟むようにして支柱本体６９に固定され、他片８２が一片８１の下端部において板面を上下に向けて配置される。
【００４３】
支柱本体６９の梁材９への固定後、前述した外壁パネル１５、下地材１４および笠木下地材２０などが設けられる。この際、第一部材７４の他片７８が外壁パネル１５の裏面に当接した状態で、ネジ８３により第一部材７４と外壁パネル１５とが固定される。また、下地材１４は、第二部材７５の他片８０に当接した状態で配置される。なお、図１に示されるように、支柱本体６９と梁材９との固定部には、モルタル８４が充填される。
【００４４】
本実施例では、支柱本体６９を挟むようにして、笠木下地材２０が設けられる。各笠木下地材２０には、互いに対応する端部に、下方へ凹んで段部８５が形成されている。一方の笠木下地材２０は、段部８５が支柱本体６９に固定された一方の第三部材７６の他片８２に載せ置かれた状態で、段部８５と他片８２とがボルトナット８６で固定されることで、一方の第三部材７６に固定される。他方の笠木下地材２０は、段部８５が支柱本体６９に固定された他方の第三部材７６の他片８２に載せ置かれた状態で、段部８５と他片８２とがボルトナット８６で固定されることで、他方の第三部材７６に固定される。これにより、笠木下地材２０は、支柱本体６９を挟むようにして、支柱本体６９に固定される。なお、通常は複数の手摺支柱６が互いに間隔をあけて設置されるので、手摺支柱６間に配置される笠木下地材２０には、両端部に前述した段部８５が形成されている。
【００４５】
水切り配置工程は、立ち上がり部２の上方への開口２１を閉じるよう立ち上がり部２を上方から覆って捨て水切り材４を配置する工程である。笠木下地材２０の支柱本体６９への固定後、前述した捨て水切り材４が設けられる。捨て水切り材４の上片２２には、平面視略四角形状の貫通穴８７が形成されており、その貫通穴８７の周囲には四角枠状の突出部８８が形成されている。従って、捨て水切り材４は、支柱本体６９の上方から貫通穴８７に支柱本体６９を通すようにして、笠木下地材２０に載せ置かれる。そして、前述したように、捨て水切り材４は、笠木下地材２０にネジで固定される。この際、立ち上がり部２の屋外側上端部と上片２２との間、および立ち上がり部２の屋内側上端部と上片２２との間に水密材２７，２８が設けられる。これにより、立ち上がり部２の開口２１が閉じられた状態とされる。捨て水切り材４の設置後、突出部８８内にはシーリング材が充填される。なお、通常は前述したように手摺支柱６が複数設置されて左右に長い手摺３となるので、複数の捨て水切り材４が互いに接続されて設置される。この際、複数の捨て水切り材４の内、手摺支柱６のない箇所に設けられる捨て水切り材４には、貫通穴８７および突出部８８が形成されない。また、隣接する捨て水切り材４同士の接続部には、適宜の防水処理が施される。
【００４６】
下笠木材配置工程は、捨て水切り材４を上方から覆うように下笠木材５を配置する工程である。捨て水切り材４の笠木下地材２０への固定後、前述した下笠木材５が設けられる。下笠木材５の上片３１には、平面視略四角形状の貫通穴８９が形成されている。従って、下笠木材５は、支柱本体６９の上方から貫通穴８９に支柱本体６９を通すようにして、捨て水切り材４に設けられる。下笠木材５の捨て水切り材４への設置は、前述したように取付具３４および被取付具３５を用いてなされる。すなわち、下笠木材５の設置前には、予め、下笠木材５に取付具３４が設けられ、捨て水切り材４に被取付具３５が設けられている。このようにして、下笠木材５は、捨て水切り材４、ひいては立ち上がり部２の上端部を上方から覆うようにして配置される。なお、通常は前述したように手摺支柱６が複数設置されて左右に長い手摺３となるので、下笠木材５の上片３１には、複数の貫通穴８９が形成されている。また、左右に長い手摺３の場合には、複数の下笠木材５を互いに隣接して設置してもよい。このようにして、支柱本体６９は、捨て水切り材４および下笠木材５を貫通した状態で、下端部が立ち上がり部２の空間１９内に配置されて梁材９に固定され、立ち上がり部２から上方へ延出して配置される。
【００４７】
プレート設置工程は、支柱本体６９を挟むようにして支柱本体６９に一対の固定プレート７０，７０を設ける工程である。下笠木材５の捨て水切り材４への設置後、支柱本体６９には、左右一対の固定プレート７０，７０が設けられる。左右一対の固定プレート７０，７０は、左右対称に形成されているので、ここでは右側に配置される固定プレート７０について説明する。固定プレート７０は、後方へ開口した側面視略コ字形の板状のプレート本体部９０と、プレート本体部９０の開放両端部の左端部同士を接続する板状の接続部９１とを有している。接続部９１は、板面を左右に向けて配置されており、略中央部には左右方向へ沿って貫通穴９２が形成されている。
【００４８】
左右一対の固定プレート７０，７０は、左側の固定プレート７０の接続部９１の右面が支柱本体６９の左面に当接されると共に、右側の固定プレート７０の接続部９１の左面が支柱本体６９の右面に当接された状態で、ボルト９３およびナット９４により支柱本体６９に固定される。すなわち、右側の固定プレート７０の貫通穴９２、支柱本体６９に形成された貫通穴９５および左側の固定プレート７０の貫通穴９２にボルト９３が通された状態で、そのボルト９３にナット９４をねじ込むことで、左右の固定プレート７０，７０が支柱本体６９に固定される。この際、左右一対の固定プレート７０，７０のプレート本体部９０の前面と支柱本体６９の前面とが面一とされる。本実施例では、支柱本体６９の下笠木材５からの延出部分において、上下方向略中央部と下端部とに左右一対の固定プレート７０，７０が固定される。
【００４９】
カバー被覆工程は、左右一対の固定プレート７０，７０が設けられた支柱本体６９の周囲を覆うようにして、支柱本体６９に支柱カバー７１を被せる工程である。固定プレート７０の支柱本体６９への固定後、支柱本体６９の下笠木材５からの延出部分に支柱カバー７１が被せられる。支柱カバー７１は、上下方向へ開口する平面視略四角形の角筒状に形成されている。支柱カバー７１の上端部には、支柱本体６９への取付時に用いられる取付部材９６が設けられる。取付部材９６は、上方へ開口する正面視略コ字形の板状に形成されており、中央片部９７に上下方向へ沿って貫通穴９８が形成されている。図９に示されるように、取付部材９６は、上方へ開口するようにして、開放両端部９９それぞれが支柱カバー７１の左右壁部それぞれの内面にネジ１００で固定される。この際、取付部材９６は、支柱カバー７１の上端部の内部に配置されて設けられる。すなわち、取付部材９６は、支柱本体６９内に収容された状態で、支柱本体６９に固定される。
【００５０】
支柱カバー７１の下端部には、下笠木材５への接触部材１０１が設けられる。接触部材１０１は、平面視略四角形の板状とされ、下面が屋外側へ行くに従って上方へ傾斜して形成されている。接触部材１０１の中央部には、略矩形状の貫通穴１０２が形成されており、その貫通穴１０２と連続して、接触部材１０１の前側隅部にネジ挿通穴１０３が形成されている。また、ネジ挿通穴１０３は、接触部材１０１の後側隅部にも形成されている。図９に示されるように、接触部材１０１は、上面を支柱カバー７１の下端部に接触させた状態で、接触部材１０１のネジ挿通穴１０３を介して、支柱カバー７１に形成されたネジ取付部１０４にネジをねじ込むことで、支柱カバー７１の下端部に固定される。
【００５１】
支柱カバー７１の下端部と接触部材１０１との間には、水密材１０５が設けられる。水密材１０５は、平面視略四角形の板状とされ、中央部に略矩形状の貫通穴１０６が形成されている。水密材１０５には、前側の隅部に貫通穴１０６と連続するネジ挿通穴１０７が形成され、後側の隅部にもネジ挿通穴１０７が形成されている。また、接触部材１０１の下面には、水密材１０８が設けられる。この水密材１０８は、支柱カバー７１と接触部材１０１との間の水密材１０５と同一のものとされる。従って、支柱カバー７１の下端部には、下方から順に水密材１０８、接触部材１０１および水密材１０５が重ね合わされた状態で、それぞれのネジ挿通穴１０３，１０７を介して、ネジ取付部１０４にネジがねじ込まれることで、接触部材１０１および水密材１０５，１０８が固定される。
【００５２】
このような構成の支柱カバー７１は、支柱本体６９の上方から、接触部材１０１の貫通穴１０２および水密材１０５，１０８の貫通穴１０６，１０６に支柱本体６９を通すと共に、支柱カバー７１の下方への開口に支柱本体６９を通して、支柱本体６９に被せられ、下笠木材５の上片３１に載せ置かれる。この際、支柱カバー７１は、その下端部に固定された接触部材１０１によって、軸線が鉛直方向に沿って配置される。このようにして、支柱カバー７１は、支柱本体６９の下笠木材５から上方へ延出した部分の周囲を覆うように下笠木材５に載せ置かれる。ところで、支柱カバー７１が被せられる支柱本体６９には、上端部に左右方向へ沿って側面視略四角形状の貫通穴１０９が形成されており、その貫通穴１０９に連通するようにして、上面にネジ穴１１０が形成されている。
【００５３】
カバー第一固定工程は、支柱カバー７１に設けられた取付部材９６を用いて、支柱カバー７１を支柱本体６９に固定する工程である。具体的には、支柱本体６９に支柱カバー７１が被せられた状態で、支柱カバー７１の上端部に設けられた取付部材９６の貫通穴９８を介して、支柱本体６９のネジ穴１１０にボルト１１１がねじ込まれる。これにより、支柱カバー７１は、支柱本体６９に対して下方へ押圧された状態で、支柱本体６９に固定される。
【００５４】
カバー第二固定工程は、カバー第一固定工程後、支柱本体６９に固定された一対の固定プレート７０，７０を用いて、支柱カバー７１を支柱本体６９に固定する工程である。具体的には、取付部材９６を介して支柱本体６９にねじ込まれたボルト１１１によって支柱本体６９に支柱カバー７１が固定された状態で、支柱カバー７１を介して、一対の固定プレート７０，７０それぞれにドリルネジ１１２がねじ込まれる。これにより、支柱カバー７１は、支柱本体６９の外面を覆った状態で、ボルト１１１およびドリルネジ１１２により支柱本体６９に固定される。
【００５５】
この際、支柱カバー７１には、前述した固定部材６６のチャンネル受け６８が設けられる。チャンネル受け６８は、平面視略Ｔ字形の板状に形成されており、板状で板面を前後に向けて配置される一片１１３と、板状で板面を左右に向けて配置される他片１１４とを有している。一片１１３は、上下方向を長手方向とする正面視略長方形の板状で、左右両端部に後方へ凹んで段部１１５が形成されている。すなわち、一片１１３は、それ自体が平面視略Ｔ字状に形成されている。一片１１３のそれぞれの段部１１５には、貫通穴１１６が前後方向へ沿って形成されている。本実施例では、一片１１３の上下方向略中央部と上下両端部に貫通穴１１６が形成されている。他片１１４は、上下方向を長手方向とする側面視略長方形の板状に形成されており、一片１１３の左右方向略中央部から前方へ延出している。
【００５６】
チャンネル受け６８が設けられる支柱カバー７１の前壁部には、上下方向へ沿って溝部１１７が形成されている。溝部１１７は、前方へ開口した横断面略Ｔ字状に形成されており、上方へも開口されている。また、支柱カバー７１の前壁部には、上下方向略中央部と上下両端部に、溝部１１７の前方への開口部を挟んで一対の貫通穴１１８，１１８が形成されている。従って、チャンネル受け６８の略Ｔ字状の一片１１３が略Ｔ字状の溝部１１７に上方から差し込まれ、その差込状態において、支柱カバー７１の前壁部の貫通穴１１８およびチャンネル受け６８の段部１１５の貫通穴１１６を介して、固定プレート７０のプレート本体部９０に屋外側からドリルネジ１１２がねじ込まれることで、支柱カバー７１が支柱本体６９に固定されると共に、チャンネル受け６８が支柱カバー７１に固定される。この際、チャンネル受け６８は、その他片１１４が支柱カバー７１から前方へ延出している。なお、本実施例では、支柱本体６９の上下方向略中央部と下端部とに固定プレート７０が設けられるので、この二箇所においてドリルネジ１１２が固定プレート７０にねじ込まれる。残りの支柱カバー７１の上端部では、支柱カバー７１の貫通穴１１８およびチャンネル受け６８の貫通穴１１６にドリルネジ１１２がねじ込まれて、チャンネル受け６８が支柱カバー７１に固定される。
【００５７】
面材固定工程は、カバー第二固定工程後、支柱カバー７１に手摺面材７を固定する工程である。この工程では、まず、支柱カバー７１の前面に設けられた胴縁材４７に手摺面材７が載せ置かれる。その前に、手摺面材７には、グレイジングチャンネル５２，５８、面材受け５９および固定部材６６のチャンネル６７が設けられる。なお、胴縁材４７は、支柱本体６９に支柱カバー７１が被せられた後で、支柱本体６９に取付部材９６を介してボルト１１１がねじ込まれる前に、ネジを用いて前述したように支柱カバー７１の前面に固定される。
【００５８】
図１２に示されるように、本実施例では、左右に隣接する手摺面材７，７同士の隣接部が手摺支柱６の位置に配置されるように、複数の手摺面材７が左右方向へ沿って配置される。従って、隣接する手摺面材７それぞれに、グレイジングチャンネル５２，５８および面材受け５９が設けられる。また、左右一対のチャンネル６７，６７の内、一方が隣接する手摺面材７の一方に設けられ、他方が隣接する手摺面材７の他方に設けられる。
【００５９】
左右に隣接する手摺面材７の一方である左側の手摺面材７の下端部には、前述したようにグレイジングチャンネル５８および面材受け５９が設けられる。すなわち、手摺面材７の下端部にグレイジングチャンネル５８が這わされた状態で、手摺面材７の下端部が面材受け５９の杓部６０内に押し込まれることで、開放両端部５６の差込部５７に杓部６０の延出部６２が差し込まれる。これにより、手摺面材７の下端部に、グレイジングチャンネル５８を介して面材受け５９が設けられる。
【００６０】
左側の手摺面材７の裏面には、左右一対のチャンネル６７，６７の内、左側のチャンネル６７が設けられる。左側のチャンネル６７は、左方へ開口する平面視略コ字形で上下に細長い板状に形成されている。左側のチャンネル６７の中央片部１１９には、上下方向略中央部と上下両端部に貫通穴１２０が形成されている。左側のチャンネル６７の開放両端部１２１の先端部には、内方へわずかに延出して延出部１２２が形成されている。図１２に示されるように、左側のチャンネル６７は、前側の開放両端部１２１の外面が構造シール材１２３を介して左側の手摺面材７の右端部の裏面に固定される。この際、左側のチャンネル６７は、左方へ開口して配置される。なお、左側の手摺面材７と左側のチャンネル６７との間には、構造シール材１２３の右側に隣接して気泡体１２４が設けられる。
【００６１】
左右に隣接する手摺面材７の他方である右側の手摺面材７の下端部には、左側の手摺面材７と同様にして、グレイジングチャンネル５８を介して面材受け５９が設けられる。また、右側の手摺面材７の裏面には、左右一対のチャンネル６７，６７の内、右側のチャンネル６７が設けられる。右側のチャンネル６７は、左側のチャンネル６７と左右対称に形成されている。図１２に示されるように、右側のチャンネル６７は、右方へ開口した状態で、前側の開放両端部１２１の外面が構造シール材１２３を介して右側の手摺面材７の左端部の裏面に固定される。なお、右側の手摺面材７と右側のチャンネル６７との間には、構造シール材１２３の左側に隣接して気泡体１２４が設けられる。
【００６２】
グレイジングチャンネル５８、面材受け５９およびチャンネル６７が設けられた左右の手摺面材７，７はそれぞれ、前述したように、面材受け５９の杓部６０が胴縁材４７の下端片５０に載せ置かれると共に、柄部６１の延出部６４が略Ｊ字形状部６５に係合されて、胴縁材４７に載せ置かれる。この際、左側の手摺面材７は、そのチャンネル６７がチャンネル受け６８の他片１１４の左側に配置されるようにして、胴縁材４７に載せ置かれる。また、右側の手摺面材７は、そのチャンネル６７がチャンネル受け６８の他片１１４の右側に配置されるようにして、胴縁材４７に載せ置かれる。
【００６３】
そして、上下方向略中央部と上下両端部において、右側のチャンネル６７の貫通穴１２０、チャンネル受け６８に形成された貫通穴１２５、および左側のチャンネル６７の貫通穴１２０の順にボルト１２６が通され、そのボルト１２６にナット１２７がねじ込まれる。この際、ボルト頭部と右側のチャンネル６７との間、およびナット１２７と左側のチャンネル６７との間には、ゴム付き座金１２８が配置される。これにより、左右の手摺面材７，７は、固定部材６６を介して支柱カバー７１に固定される。その後、左右のチャンネル６７，６７に、チャンネルカバー１２９が設けられる。左側のチャンネルカバー１２９は、上下方向を長手方向とする側面視略長方形の板状とされ、右面に左側のチャンネル６７への取付部１３０が前後に離隔して形成されている。取付部１３０は、チャンネルカバー１２９の右面から右方へ延出した後に内方へ延出し、さらに右方へ延出した板状で、先端部に外方へ開口して凹部１３１が形成されている。図１３に示されるように、左側のチャンネルカバー１２９は、取付部１３０の凹部１３１に左側のチャンネル６７の延出部１２２が係合されることで、左側のチャンネル６７に取り付けられる。なお、右側のチャンネルカバー１２９は、左側のチャンネルカバー１２９と左右対称に形成されており、左側のチャンネルカバー１２９と同様にして、右側のチャンネル６７に取り付けられる。
【００６４】
手摺面材７の固定部材６６による支柱カバー７１への固定後、隣接する支柱カバー７１の上端部同士を架け渡すように上笠木下地材４６が配置される。上笠木下地材４６は、隣接する支柱カバー７１の上端部それぞれに載せ置かれた状態で、上笠木下地材４６を介して、支柱カバー７１のネジ取付部１０４にネジがねじ込まれることで、支柱カバー７１に固定される。なお、本実施例では、隣接する支柱カバー７１間それぞれに上笠木下地材４６が設けられる。上笠木下地材４６の設置後、上笠木材４０は、取付部４２が前方に配置されるようにして、段部４３が上笠木下地材４６上に載せ置かれる。この際、前述したように手摺面材７のグレイジングチャンネル５２が設けられた上端部が取付部４２内に差し込まれ、開放両端部５６の差込部５７に上笠木材４０の取付部４２の一対の下壁部４５，４５が差し込まれる。そして、上笠木材４０の段部４３と上笠木下地材４６とがネジにより固定され、これにより、手摺面材７の上端部が上笠木材４０に保持される。このようにして、手摺面材７は、手摺支柱６よりも前方において、上端部が支柱カバー７１に屋外側へ延出して設けられる上笠木材４０に保持され、下端部が支柱カバー７１の前面に設けられる胴縁材４７に保持され、さらに、後面である屋内側の面が固定部材６６を介して支柱カバー７１に固定される。
【００６５】
本実施例の場合、支柱カバー７１が支柱本体６９の周囲を覆った状態において、支柱本体６９に設けられた一対の固定プレート７０，７０に、支柱カバー７１を介してドリルネジ１１２がねじ込まれるので、支柱カバー７１を支柱本体６９に強固に固定することができる。また、ドリルネジ１１２が用いられるのでネジ穴を形成する必要がなく、支柱カバー７１を支柱本体６９に容易に固定することができる。また、本実施例の場合、下笠木材５と支柱カバー７１の下端部との間、すなわち接触部材１０１と下笠木材５との間に、内部の水密性を保持するための水密材１０８が設けられるので、下笠木材５と支柱カバー７１の下端部との間から立ち上がり部２内に雨水などが浸入するのを防止することができる。なお、本実施例の場合、接触部材１０１と支柱カバー７１の下端部との間に、内部の水密性を保持するための水密材１０５が設けられるので、接触部材１０１と支柱カバー７１の下端部との間から立ち上がり部２内に雨水などが浸入するのを防止することができる。
【００６６】
また、本実施例の場合、支柱カバー７１の支柱本体６９への固定は、ドリルネジ１１２およびボルト１１１によりなされるので、より強固にかつ安定した状態で固定することができる。しかも、ボルト１１１による固定後にドリルネジ１１２による固定がなされるので、固定時において、支柱カバー７１が支柱本体６９に対して下方へ押圧された状態が安定して維持される。従って、下笠木材５と支柱カバー７１の下端部との間の水密材１０８が圧縮された状態で前記水密材１０８による水密が保たれるので、立ち上がり部２内への水の浸入をさらに確実に防止することができる。
【００６７】
また、本実施例の場合、捨て水切り材４により立ち上がり部２の開口２１が閉じられた状態において、立ち上がり部２の上端部の屋内側の面、捨て水切り材４の上片２２の内面、捨て水切り材４の内片２４の内面および捨て水切り材４の延出片２５の内面により空間１３２を形成することができる。従って、たとえば、外部床１の掃除の際に外部床１に屋外方向へ向けて水をかけた場合、立ち上がり部２の屋内側の面と延出片２５の先端部との隙間２６から勢いよく水が外気と共に空間１３２内に浸入したとしても、空間１３２により侵入した外気の勢いを弱めることができ、外気と共に空間１３２内に浸入した水を空間１３２で止めることができる。
【００６８】
また、本実施例の場合、前述した空間１３２で水の浸入を防止すると共に、立ち上がり部２の屋内側上端部と捨て水切り材４との間に、内部の水密性を保持するための水密材２８が設けられるので、立ち上がり部２の空間１９内に水が浸入するのをより確実にかつ容易に防止することができる。しかも、前述したように支柱カバー７１が下方へ押圧されるので、立ち上がり部２の屋内側上端部と捨て水切り材４との間の水密材２８が圧縮された状態で前記水密材２８による水密が保たれ、立ち上がり部２内への水の浸入をさらに確実に防止することができる。また、本実施例の場合、隅部材１６の他片１８の前方への屈曲部に設けられる防水シート１３と捨て水切り材４の上片２２との間に第一水密片２９が設けられると共に、隅部材１６の他片１８の上方への屈曲部の上面と捨て水切り材４の上片２２との間に第二水密片３０が設けられる。従って、第一水密片２９が設けられる箇所と第二水密片３０が設けられる箇所との二箇所において水密性が確保されるので、立ち上がり部２内への水の浸入の防止をさらに向上させることができる。
【００６９】
また、本実施例の場合、手摺支柱６よりも屋外側に手摺面材７が配置されるので、手摺３の意匠性を向上させることができる。この際、手摺面材７は、上端部が上笠木材４０に保持され、下端部が胴縁材４７に保持され、さらに、屋内側の面が固定部材６６を介して支柱カバー７１に固定される。従って、手摺面材７を手摺支柱６に安定して保持することができる。また、本実施例の場合、手摺面材７の手摺支柱６への保持に、調整片５４を有するグレイジングチャンネル５２，５８が用いられる。従って、手摺面材７の厚さに合わせて、本体片５３に調整片５４が設けられた状態、または、本体片５３から調整片５４が剥離された状態で用いることができる。さらに、本実施例の場合、前述したように外部床１の掃除の際に立ち上がり部２内へ水が浸入するのを防止できるので、特に、外部床１と行き来することができる建物内の床である居室の床よりも立ち上がり部２が低い場合に効果的である。
【００７０】
なお、本発明の手摺の取付構造および手摺の取付方法は、前記実施例の構成に限らず、本発明の思想の範囲を逸脱しない範囲で適宜変更することができる。
【産業上の利用可能性】
【００７１】
本発明は、バルコニなどの外部床の屋外縁の立ち上がり部に設けられる手摺に好適に適用される。
【符号の説明】
【００７２】
１  外部床
２  立ち上がり部
３  手摺
４  捨て水切り材
５  下笠木材
６  手摺支柱
７  手摺面材
２１  開口
２２  上片
２３  外片
２４  内片
２５  延出片
２６  隙間
４０  上笠木材
４７  胴縁材
６６  固定部材
６９  支柱本体
７０  固定プレート
７１  支柱カバー
９６  取付部材
１０８  水密材
１１０  ネジ穴
１１１  ボルト
１１２  ドリルネジ
１３２  空間
【図１】
2020045639.tif 000003
【図２】
2020045639.tif 000004
【図３】
2020045639.tif 000005
【図４】
2020045639.tif 000006
【図５】
2020045639.tif 000007
【図６】
2020045639.tif 000008
【図７】
2020045639.tif 000009
【図８】
2020045639.tif 000010
【図９】
2020045639.tif 000011
【図１０】
2020045639.tif 000012
【図１１】
2020045639.tif 000013
【図１２】
2020045639.tif 000014
【図１３】
2020045639.tif 000015
【図１４】
2020045639.tif 000016